(57)【要約】      （修正有）【課題】廃液収集瓶を交換する時、液体が外部に漏れ出さすのを防ぐことができるカモノハシの口ばし型液体逆止弁を提供する。【解決手段】カモノハシの口ばし型液体逆止弁は、液体進入管３１を備える蓋体３０に適用され、カバー管１と、カモノハシの口ばし型管２とを備える。前記カバー管の両端には、それぞれ管接続口１１と管差込口とを備え、前記カモノハシの口ばし型管の一端は挿入口を備え、カモノハシの口ばし型管の他端は、開閉可能なバルブ２１を備える。前記カモノハシの口ばし型管における前記バルブを有する一端は、前記管差込口を介して前記カバー管内に連結され、前記カモノハシの口ばし型管の挿入口は前記液体進入管に選択可能に挿入される。前記液体進入管が前記挿入口内に挿入された時、前記バルブは前記液体進入管の圧迫を受けて開いた状態になり、前記液体進入管と前記カモノハシの口ばし型管が分離された時は、前記バルブは前記液体進入管の圧迫を受けずに閉じた状態になる。【選択図】図４
0003167236.tif 000002
【実用新案登録請求の範囲】
【請求項１】
液体進入管を備える蓋体に適用されるカモノハシの口ばし型液体逆止弁であって、
前記カモノハシの口ばし型液体逆止弁は、カバー管と、カモノハシの口ばし型管とを備え、
前記カバー管の両端には、それぞれ管接続口と管差込口とを備え、
前記カモノハシの口ばし型管の一端は挿入口を備え、カモノハシの口ばし型管の他端は、開閉可能なバルブを備え、
前記カモノハシの口ばし型管における前記バルブを有する一端は、前記管差込口を介して前記カバー管内に連結され、前記カモノハシの口ばし型管の挿入口は前記液体進入管に選択可能に挿入され、
前記液体進入管が前記挿入口内に挿入された時、前記バルブは前記液体進入管の圧迫を受けて開いた状態になり、前記液体進入管と前記カモノハシの口ばし型管が分離された時は、前記バルブは前記液体進入管の圧迫を受けずに閉じた状態になることを特徴とする、カモノハシの口ばし型液体逆止弁。
【請求項２】
前記カバー管はＬ型管であることを特徴とする、請求項１に記載のカモノハシの口ばし型液体逆止弁。
【請求項３】
前記蓋体は廃液収集瓶に設けられることを特徴とする、請求項１に記載のカモノハシの口ばし型液体逆止弁。
【考案の詳細な説明】
【技術分野】
【０００１】
本考案はカモノハシの口ばし型液体逆止弁に関し、特に廃液収集瓶を交換する時、液体が外部に漏れ出さすのを防ぐことができる弁体構造に関する。
【背景技術】
【０００２】
現在の廃液収集瓶の配置方法は、複数の廃液収集瓶を移動可能なラック内に環状に配列させパイプで各廃液収集瓶の頂端を連結させる、という方式である。
【０００３】
そして、液体が満タンになった廃液収集瓶を交換したい時は、パイプを交換したい廃液収集瓶から外し、その廃液収集瓶をラック内から取り出し、空の廃液収集瓶をラック内に置き、前述したパイプと空の廃液収集瓶を連結させれば、交換の手順が完成する。
【０００４】
しかしながら、廃液収集瓶を交換する時、交換したい廃液収集瓶から外したパイプの他端は、別の廃液収集瓶とつながっており、この時に真空吸液状態であると、廃液収集瓶内の液体は、パイプの開口端（即ち廃液収集瓶とまだ連結されていないパイプの一端）から溢れ出す。もし、その液体が医療の廃液であった場合、その後清掃スタッフが清掃を行う時、感染する危険性がある。
【考案の概要】
【考案が解決しようとする課題】
【０００５】
そこで、本考案は、廃液収集瓶を交換する時、液体が外部に漏れ出さすのを防ぐことができるカモノハシの口ばし型液体逆止弁を提供することを目的とする。
【課題を解決するための手段】
【０００６】
本考案によるカモノハシの口ばし型液体逆止弁は、廃液収集瓶に設けられるとともに液体進入管を備える蓋体に適用される。前記カモノハシの口ばし型液体逆止弁は、カバー管と、カモノハシの口ばし型管とを備える。前記カバー管はＬ型管であり、前記カバー管の両端には、それぞれ管接続口と管差込口とを備える。前記カモノハシの口ばし型管は、管差込口を介してカバー管内に挿入され、前記挿入端部は、開閉可能なバルブを備え、カモノハシの口ばし型管の他端は、液体進入管に差し込まれる挿入口を備える。
【考案の効果】
【０００７】
上述の構造により、液体進入管を挿入口内に差し込んだ時、バルブは圧迫され開いた状態に変形するため、液体はバルブと液体進入管を経由して廃液収集瓶内に進入する。廃液収集瓶を交換したい時は、液体進入管とカモノハシの口ばし型管を相互に分離させると、バルブは圧迫を受けなくなるため、バルブは初めの状態に戻って閉じた状態になり、液体がバルブを経由して廃液収集瓶内に進入することを防ぐことができる。
【図面の簡単な説明】
【０００８】
【図１】本考案によるカモノハシの口ばし型液体逆止弁の外観を示した斜視図である。
【図２】本考案によるカモノハシの口ばし型液体逆止弁の構造を示した断面図である。
【図３】本考案によるカモノハシの口ばし型液体逆止弁と廃液収集瓶の蓋体を結合する前の状態の外観を示した斜視図である。
【図４】本考案によるカモノハシの口ばし型液体逆止弁と蓋体を結合させた後の構造を示した断面図である。
【図５】本考案によるカモノハシの口ばし型液体逆止弁と蓋体を分離させた後の構造を示した断面図である。
【考案を実施するための形態】
【０００９】
図１から図３に示すように、本考案によるカモノハシの口ばし型液体逆止弁は、廃液収集瓶３に適用される。廃液収集瓶３の頂端には蓋体３０が設けられ、蓋体３０は液体進入管３１を備える。
【００１０】
図１と図２に示すように、前記カモノハシの口ばし型液体逆止弁は、カバー管１とカモノハシの口ばし型管２とを備える。
【００１１】
カバー管１の両端には、それぞれ管接続口１１と管差込口１０を備え、カバー管１はＬ型管である。
【００１２】
カモノハシの口ばし型管２の一端は挿入口２０を備え、他端は開いたり閉じたり変形可能なバルブ２１を備える。
【００１３】
図３と図４に示すよう、本考案は、蓋体３０の液体進入管３１に連結される。液体進入管３１を、挿入口を介してカモノハシの口ばし型管２内に挿入した時、バルブ２１は液体進入管３１の圧迫を受けて変形するため、バルブ２１は開いた状態になる。また、管接続口１１はパイプ４と連結され、液体は、パイプ４と、カバー管１と、開いた状態のバルブ２１と、液体進入管３１とを経由して廃液収集瓶３内に進入する。
【００１４】
図５に示すように、廃液収集瓶３内に液体が充満した後、カモノハシの口ばし型管２と液体進入管３１を相互に分離させることで、バルブ２１は液体進入管３１の圧迫を受けなくなり、バルブ２１は初めの状態に戻って閉じた状態になり、液体はバルブ２１を通過できなくなり、それにより、液体が外部にもれるのを防ぐことができる。そして、廃液収集瓶３の交換が終わった後、カモノハシの口ばし型管２と液体進入管３１を再び連結させると、液体を、開いたバルブ２１から廃液収集瓶３内に進入させることができる。
【符号の説明】
【００１５】
１    カバー管
１０  管差込口
１１  管接続口
２    カモノハシの口ばし型管
２０  挿入口
２１  バルブ
３    廃液収集瓶
３０  蓋体
３１  液体進入管
４    パイプ
【図１】
0003167236.tif 000003
【図２】
0003167236.tif 000004
【図３】
0003167236.tif 000005
【図４】
0003167236.tif 000006
【図５】
0003167236.tif 000007